(57)【要約】【課題】製造が容易で確実にワイヤへ張力が付与できるウインドレギュレータを提供する。【解決手段】キャリアプレートと、キャリアプレートの移動をガイドするガイドレールと、ガイドレールの一端に設けられるハウジングと、ガイドレールの他端に設けられるワイヤガイドと、ハウジングに収納されるドラムと、ワイヤガイドに掛け回され一端がキャリアプレートに、他端がドラムに連結された上昇用ワイヤと、一端がキャリアプレートに、他端がドラムに連結された下降用ワイヤと、ドラムを回転駆動する駆動部とを備えたウインドレギュレータであって、ガイドレールの一端はガイドレールの長手方向への移動を許容しガイドレールの長手方向に対する垂直方向への移動を規制するハウジングに設けられたガイドレール収容部へ収容され、ガイドレールにはハウジングが上昇用ワイヤおよび下降用ワイヤの張力を減少させる方向へ移動するのを規制する規制部が設けられている。【選択図】図１
2011231551.tif 000002
【特許請求の範囲】
【請求項１】
窓ガラスが固定されるキャリアプレートと、該キャリアプレートの移動をガイドするガイドレールと、前記ガイドレールの一端に設けられるハウジングと、前記ガイドレールの他端に設けられるワイヤガイドと、前記ハウジングに収容されるドラムと、前記ワイヤガイドに掛け回され、一端が前記キャリアプレートに、他端が前記ドラムに連結された上昇用ワイヤと、一端が前記キャリアプレートに、他端が前記ドラムに連結された下降用ワイヤと、前記ドラムを回転駆動する駆動部とを備えたウインドレギュレータであって、
前記ガイドレールの一端は、前記ガイドレールの長手方向への移動を許容し、前記ガイドレールの長手方向に対する垂直方向への移動を規制する前記ハウジングに設けられたガイドレール収容部へ収容されており、
前記ガイドレールには、前記ハウジングが前記上昇用ワイヤおよび前記下降用ワイヤの張力を減少させる方向へ移動するのを規制する規制部が設けられていることを特徴とするウインドレギュレータ。
【請求項２】
前記規制部は、前記ガイドレールの長手方向に対し垂直方向に向かい合うように前記ガイドレールに一体で形成され、前記ガイドレールの表面から突出した爪であることを特徴とする請求項１記載のウインドレギュレータ。
【請求項３】
窓ガラスが固定されるキャリアプレートと、該キャリアプレートの移動をガイドするガイドレールと、前記ガイドレールの一端に設けられるハウジングと、前記ガイドレールの他端に設けられるワイヤガイドと、前記ハウジングに収容されるドラムと、前記ワイヤガイドに掛け回され、一端が前記キャリアプレートに、他端が前記ドラムに連結された上昇用ワイヤと、一端が前記キャリアプレートに、他端が前記ドラムに連結された下降用ワイヤと、前記ドラムを回転駆動する駆動部とを備えたウインドレギュレータであって、
前記ハウジングは、前記ガイドレールの長手方向への移動を許容し、前記ガイドレールの長手方向に対する垂直方向への移動を規制するガイドレール収容部を備えており、
前記ガイドレール収容部へ前記ガイドレールの一端を収容させた状態で、前記上昇用ワイヤおよび前記下降用ワイヤをそれぞれ前記キャリアプレートおよび前記ドラムへ組み付ける工程と、
前記ハウジングを前記ガイドレールの長手方向へ移動させることで、前記ガイドレール収容部への前記ガイドレールの一端の収容量を変更し、前記上昇用ワイヤおよび前記下降用ワイヤの張力を増加させる工程と、
前記上昇用ワイヤおよび前記下降用ワイヤの張力を増加させた状態を保持しながら前記ガイドレールの一部を変形させて、前記ハウジングが前記上昇用ワイヤおよび前記下降用ワイヤの張力を減少させる方向へ移動するのを規制する規制部を形成する工程を含む製造方法により得られることを特徴とするウインドレギュレータ。
【請求項４】
前記規制部は、前記ガイドレールの長手方向に対し垂直方向に向かい合うように、前記ガイドレールの表面と面一に形成された２つの爪を、前記ガイドレールの表面から突出するように折り曲げて形成されることを特徴とする請求項３記載のウインドレギュレータ。
【発明の詳細な説明】
【技術分野】
【０００１】
本発明は、ワイヤへ張力を付与することができるウインドレギュレータに関する。
【背景技術】
【０００２】
ウインドレギュレータとは、車両用ドアに設けられる窓ガラスを上下させるためのものであり、ワイヤ式のものが多く用いられている。このワイヤ式のウインドレギュレータ（以下、単に「ウインドレギュレータ」と記す。）は、一般に、閉ループを構成するワイヤと、該ワイヤの端部と、前記窓ガラスを支持するガラスホルダーとが連結されるキャリアプレートと、該キャリアプレートを上下方向に移動可能にガイドするガイドレールと、前記ワイヤを巻き取り、また送り出すドラムを駆動することにより、キャリアプレートと共に窓ガラスを上下に移動させる駆動部とを備える。
【０００３】
このようなウインドレギュレータにおいては、ドラムにワイヤが巻き取られ、また送り出されることにより、窓ガラスが上下に移動できるよう、常にワイヤに張力が付与されている状態としておく必要がある。
【０００４】
このようなことに鑑み、特許文献１には、ワイヤをガイドするワイヤガイドが設けられたブラケットを、前記ワイヤに張力が付与される状態でガイドレールの一端に一体に結合させるウインドレギュレータが開示されている。また、特許文献２には、ワイヤガイドが設けられたブラケットと、前記ブラケットを回転可能に保持すると共に、当該ブラケットを任意の位置でボルトとナットとにより固定できるベースブラケットとを備えるウインドレギュレータが開示されている。このウインドレギュレータは、ブラケットをワイヤに張力が付与される位置に回転させた後、当該位置で前記ベースブラケットに固定するものである。
【先行技術文献】
【特許文献】
【０００５】
【特許文献１】特開平８−２７０３２８号公報
【特許文献２】特開２０００−３５６０６８号公報
【発明の概要】
【発明が解決しようとする課題】
【０００６】
しかしながら、特許文献１に開示されるウインドレギュレータにおいては、ブラケットとガイドレールとの間に嵌合構造が設けられておらず、よってこれらを一体に結合させる際には、互いに傾かないように製造設備で位置決めしつつ作業を行う必要がある。そのため、当該ウインドレギュレータには、製造が煩雑になるという問題がある。
【０００７】
また、特許文献２に開示されるウインドレギュレータにおいては、ワイヤに張力が付与された状態を維持しつつ、ボルトとナットによりブラケットをベースブラケットに固定する必要がある。そのため、当該ウインドレギュレータにも、製造が煩雑になるという問題がある。更に、当該ウインドレギュレータの使用途中において、ナットが緩んだ場合には、ブラケットがワイヤの張力を下げる方向へ移動してしまうという問題もある。
【０００８】
本発明は、以上のような問題点に鑑みてなされたものであり、製造が容易で、確実にワイヤへ張力が付与できるウインドレギュレータを提供することを目的とする。
【課題を解決するための手段】
【０００９】
上記目的を達成するために、本発明のウインドレギュレータは、窓ガラスが固定されるキャリアプレートと、該キャリアプレートの移動をガイドするガイドレールと、前記ガイドレールの一端に設けられるハウジングと、前記ガイドレールの他端に設けられるワイヤガイドと、前記ハウジングに収納されるドラムと、前記ワイヤガイドに掛け回され、一端が前記キャリアプレートに、他端が前記ドラムに連結された上昇用ワイヤと、一端が前記キャリアプレートに、他端が前記ドラムに連結された下降用ワイヤと、前記ドラムを回転駆動する駆動部とを備えたウインドレギュレータであって、前記ガイドレールの一端は、前記ガイドレールの長手方向への移動を許容し、前記ガイドレールの長手方向に対する垂直方向への移動を規制する前記ハウジングに設けられたガイドレール収容部へ収容されており、前記ガイドレールには、前記ハウジングが前記上昇用ワイヤおよび前記下降用ワイヤの張力を減少させる方向へ移動するのを規制する規制部が設けられていることを特徴としている。
【００１０】
また、本発明のウインドレギュレータは、窓ガラスが固定されるキャリアプレートと、該キャリアプレートの移動をガイドするガイドレールと、前記ガイドレールの一端に設けられるハウジングと、前記ガイドレールの他端に設けられるワイヤガイドと、前記ハウジングに収容されるドラムと、前記ワイヤガイドに掛け回され、一端が前記キャリアプレートに、他端が前記ドラムに連結された上昇用ワイヤと、一端が前記キャリアプレートに、他端が前記ドラムに連結された下降用ワイヤと、前記ドラムを回転駆動する駆動部とを備えたウインドレギュレータであって、前記ハウジングは、前記ガイドレールの長手方向への移動を許容し、前記ガイドレールの長手方向に対する垂直方向への移動を規制するガイドレール収容部を備えており、前記ガイドレール収容部へ前記ガイドレールの一端を収容させた状態で、前記上昇用ワイヤおよび前記下降用ワイヤをそれぞれ前記キャリアプレートおよびドラムへ組み付ける工程と、前記ハウジングを前記ガイドレールの長手方向へ移動させることで、前記ガイドレール収容部への前記ガイドレールの一端の収容量を変更し、前記上昇用ワイヤおよび前記下降用ワイヤの張力を増加させる工程と、前記上昇用ワイヤおよび前記下降用ワイヤの張力を増加された状態を保持しながら前記ガイドレールの一部を変形させて、前記ハウジングが前記上昇用ワイヤおよび前記下降用ワイヤの張力を減少させる方向へ移動するのを規制する規制部を形成する工程を含む製造方法により得られることを特徴としている。
【発明の効果】
【００１１】
（１）本発明のウインドレギュレータは、上昇用ワイヤおよび下降用ワイヤの他端が連結されたドラムを収納するハウジングに、ガイドレールの一端を収容するガイドレール収容部が設けられおり、このガイドレール収容部が、ハウジングのガイドレールの長手方向への移動を許容すると共に、長手方向に対する垂直方向への移動を規制している。これにより、上昇用ワイヤおよび下降用ワイヤのキャリアプレートおよびドラムへの連結は、ハウジングを上昇用ワイヤおよび下降用ワイヤの張力を減少させるように、ガイドレールをガイドレール収容部内へ収容される方向へ移動させた状態で行うことができる。また、上昇用ワイヤおよび下降用ワイヤへの張力の付与は、ハウジングを上記と逆のガイドレールの長手方向に移動させることでできる。更に、上昇用ワイヤおよび下降用ワイヤに張力を付与した後は、規制部によりハウジングが上昇用ワイヤおよび下降用ワイヤの張力を減少させるガイドレールの長手方向に移動することを規制できる。以上により、本ウインドレギュレータは、簡便な作業にて上昇用ワイヤおよび下降用ワイヤに張力を付与して製造することができ、また使用中に前記張力が減少することも防止することができる。
【００１２】
（２）規制部が、ガイドレールの長手方向に対し垂直方向に向かい合うようにガイドレールに一体で形成され、ガイドレールの表面から突出した爪である場合は、部品点数の増加が生じず、ウインドレギュレータを容易に製造することができる。また、ガイドレールおよびハウジングが上昇用ワイヤおよび下降用ワイヤの張力を減少する方向に移動しようとする力に抗する強度が強く、また長期に渡る耐久性も高い。さらに、使用途中に上昇用ワイヤおよび下降用ワイヤの張力が減少することを防止することができる
【００１３】
（３）さらに、本発明のウインドレギュレータは、ガイドレール収容部へガイドレールの一端を収容させた状態で、上昇用ワイヤおよび下降用ワイヤをキャリアプレートおよびドラムに組み付ける工程、ハウジングをガイドレールの長手方向に移動させることで、上昇用ワイヤおよび下降用ワイヤの張力を増加させる工程、および上昇用ワイヤおよび下降用ワイヤの張力を増加させた状態を保持しながら、ガイドレールの一部を変形させて、ハウジングが上昇用ワイヤおよび下降用ワイヤの張力を減少させる方向へ移動することを規制する規制部を形成する工程により製造することができる。これらの工程が何れも容易に行うことができることに基づき、本ウインドレギュレータは製造が容易である。
【図面の簡単な説明】
【００１４】
【図１】本発明のウインドレギュレータの正面図。
【図２】（ａ）ガイドレールの拡大正面図、（ｂ）本図（ａ）におけるＩ−Ｉ断面図。
【図３】（ａ）ハウジングの拡大正面図、（ｂ）ハウジングの拡大平面図。
【図４】ウインドレギュレータの製造工程を示すフローチャート。
【図５】ウインドレギュレータの要部の組み立てを説明する説明図。
【図６】ウインドレギュレータの要部拡大斜視図。
【発明を実施するための形態】
【００１５】
以下、図面を参照しつつ、本発明の実施の形態の説明をする。図１に示すように本発明のウインドレギュレータ１は、図外の窓ガラスが固定されるキャリアプレート２と、該キャリアプレート２の移動をガイドするガイドレール３と、該ガイドレール３の一端に設けられるハウジング４と、ガイドレール３の他端に設けられるワイヤガイド５と、ハウジング４に収容されるドラム６と、ワイヤガイド５に掛け回されて一端がキャリアプレート２に、他端がドラム６に夫々連結された上昇用ワイヤ７と、一端がキャリアプレート２に、他端がドラム６に夫々連結された下降用ワイヤ８と、ドラム６を回転駆動する電気モータ等により構成される駆動部９とを備えている。
【００１６】
本ウインドレギュレータ１は、図外の車両用ドアのインナパネルに固定されて使用されるもので、駆動部９を動作させることにより、ドラム６を回転駆動して上昇用ワイヤ７の他端側を当該ドラム６に巻き取り、下降用ワイヤ８を当該ドラム６より一端側へ送り出すことでキャリアプレート２に固定された窓ガラスを上昇させ、また、上昇用ワイヤ７を当該ドラム６から一端側へ送り出し、下降用ワイヤ８の他端側を当該ドラム６に巻き取ることでキャリアプレート２に固定された窓ガラスを下降させるものである。
【００１７】
前記ガイドレール３は、図２に示すように、長手方向に所定の長さを有する略長方形状の亜鉛メッキ鋼板等の金属薄板を所定形状に形成したものである。ガイドレール３の幅方向の一端の縁には、略直角に折り曲げられた、ガイドレール３の剛性を高める折り曲げ部１０が形成されている。また、ガイドレール３の幅方向の他端より所定長内側には、２重に折り曲げられて、前記折り曲げ部１０と逆方向に突出する２重折り曲げ部１１が形成されている。
【００１８】
ガイドレール３の長手方向の上端（他端）付近には、ワイヤガイド５を取り付けるためのシャフト挿入孔１２が設けられている。このシャフト挿入孔１２には、図１に示すように、ワイヤガイド５がシャフト１３を介して回転可能に取り付けられる。また、ワイヤガイド５より所定距離下方には、前記図外のインナパネルへウインドレギュレータ１を取り付ける際に使用されるインナパネル取付部１４が設けられたブラケット１５が取り付けられている。
【００１９】
ガイドレール３の長手方向の下端（一端）には、図３に示すハウジング４に設けられるガイドレール収容部１６に収容できるよう、図２に示すように下方に突出して形成されたハウジング挿通部１７が形成されている。このハウジング挿通部１７は、平面視左側に設けられるガイドレール３の幅方向に広い矩形状の第１挿通部１７ａと、切欠部１７ｃを挟んで平面視右側に設けられるガイドレール３の長手方向に長い矩形状であり、前記２重折り曲げ部１１を含んで形成される第２挿通部１７ｂとにより構成されている。
【００２０】
また、ガイドレール３のハウジング挿通部１７より所定距離上方には、爪１８ａ、１８ｂが設けられている。この爪１８ａ、１８ｂは、初期状態において、ガイドレール３の幅方向に向かい合うようにＨ型に打ち抜いて、当該ガイドレール３の表面と面一に当該ガイドレール３と一体に形成されている。なお、前記爪はガイドレール３の幅方向に伸びるように一つだけ設けても良く、ガイドレール３の長手方向に伸びるように一つだけ設けても良い。
【００２１】
前記ハウジング４は、合成樹脂、金属等の材料により構成されており、図３に示すように、正面視上方が矩形、且つ、下方が半円形の本体４ａと、該本体４ａの上端から突出した上方突出部４ｂと、該本体４ａの右端からから突出した右側突出部４ｃと、該本体４ａの下端から突出した下方突出部４ｄと、該本体４ａの左端から突出した左側突出部４ｅとを有している。前記本体４ａの内部には、前記ドラム６を回動可能に収容するドラム収容部２０が形成されている。また、ハウジング４の右側突出部４ｃおよび左側突出部４ｅには、夫々ウインドレギュレータ１を前記図外のインナパネルへ取り付けるためのインナパネル取付部２１が設けられている。
【００２２】
ハウジング４の上方突出部４ｂ、下方突出部４ｄおよび左側突出部４ｅには、夫々、駆動部９をハウジング４に固定するためのボルト２２を挿通するボルト挿通孔２３が設けられている。また、ハウジング４には、ドラム６に他端が連結される上昇用ワイヤ７が挿通する上昇用ワイヤ案内溝２４が、本体４ａの上面にて上方に開口してドラム収容部２０につながるように設けられており、また、ドラム６に他端が連結される下降用ワイヤ８が挿通する下降用ワイヤ案内溝２５が、上方突出部４ｂの上面にて上方に開口してドラム収容部２０につながるように設けられている。
【００２３】
更に、ハウジング４には、上方突出部４ｂの上面にて上方に開口してガイドレール３の前記第１挿通部１７ａを収容する溝である第１収容部１６ａと、右側突出部４ｃの上面にて上方に開口してガイドレール３の前記第２挿通部１７ｂを収容する溝である第２収容部１６ｂとにより構成されるガイドレール収容部１６も設けられている。
【００２４】
ここで、第１収容部１６ａおよび第２収容部１６ｂは、夫々、前記第１挿通部１７ａおよび前記第２挿通部１７ｂの断面形状より僅かに大きく開口している。従って、第１収容部１６ａおよび第２収容部１６ｂには、第１挿通部１７ａおよび第２挿通部１７ｂを収容可能であるが、当該収容時において、ハウジング４はガイドレール３に対してその長手方向に対する垂直方向への移動が規制される。
【００２５】
また、第１収容部１６ａおよび第２収容部１６ｂの溝深さは、夫々、第１挿通部１７ａおよび第２挿通部１７ｂと同等以上に構成されている。これにより、ハウジング４は、図５（ａ）に示すように、第１収容部１６ａおよび第２収容部１６ｂ夫々に第１挿通部１７ａおよび第２挿通部１７ｂが挿入された状態で、第１収容部１６ａと第２収容部１６ｂとの間の上方突出部４ｂおよび右側突出部４ｃの上面がガイドレール３の切欠部１７ｃに当接するまでの範囲で、ガイドレール３に対しその長手方向である矢印Ａ方向に移動できる。
【００２６】
以上のように各部が構成されるウインドレギュレータ１は、図４に示す工程を経て製造することができる。Ｓ１の工程では、予めガイドレール３のシャフト挿入孔１２にシャフト１３を介してワイヤガイド５が回動可能に組み付けられると共に、ガイドレール３にキャリアプレート２が上下移動可能に組み付けられ、更にガイドレール３にブラケット１５が取り付けられてから、ハウジング４が当該ガイドレール３に組み付けけられる。これは、製造作業者が、図５（ａ）に示すように、ハウジング４をガイドレール３に対しその長手方向上方（矢印Ａ方向）に移動させて、ガイドレール３の一端に設けられたハウジング挿通部１７をハウジング４に設けられたガイドレール収容部１６に収容することにより行うことができる。
【００２７】
その後、本工程では、所定の長さに予め切断されている上昇用ワイヤ７および下降用ワイヤ８を、キャリアプレート２およびドラム６に連結する。これは、製造作業者が、下降用ワイヤ８の一端をキャリアプレート２に、他端を下降用ワイヤ案内溝２５に挿通させてからドラム６に連結した後、該ドラム６をハウジング４に回動可能に収容して回動させて下降用ワイヤ８の他端側を当該ドラムに巻き付ける。更に、製造作業者が上昇用ワイヤ７をワイヤガイド５に掛け回した状態で、一端をキャリアプレート２に、他端を上昇用ワイヤ案内溝２４に挿通させてからドラム６に連結することにより行うことができる。本工程は、その後製造作業者が、ボルト挿通孔２３にボルト２２を挿通して、駆動部９をハウジング４に固定することにより終了する。
【００２８】
ここで、上記工程では、ガイドレール３に規制部１８が形成されていないので、即ち爪１８ａ、１８ｂがガイドレール３の表面と面一であるので、それらがガイドレール収容部１６内に収容されるまで、ハウジング４を当該ガイドレール３に対しその長手方向上方に、またはガイドレール３をハウジング４に対し当該ガイドレール３の長手方向下方に移動させることができる。この移動をさせることにより、ガイドレール収容部１６へのハウジング挿通部１７の収容量は増加し、ドラム６とキャリアプレート２またはワイヤガイド５とのなす距離が短くなる。これにより、上昇用ワイヤ７および下降用ワイヤ８が緩むので、それらのキャリアプレート２およびドラム６への連結は容易に行うことができる。
【００２９】
次に、図４のＳ２の工程では、図５（ｂ）に示すように、ハウジング４をガイドレール３に対しその長手方向下方（矢印Ｂ方向）に、またはガイドレール３をハウジング４に対し当該ガイドレール３の長手方向上方に移動させることにより、ガイドレール３とハウジング４を離れる方向に移動させて、爪１８ａ、１８ｂがガイドレール収容部１６から露出する位置まで移動する。これにより、上昇用ワイヤ７および下降用ワイヤ８の張力は増加する。
【００３０】
次に、図４のＳ３の工程では、上記説明した上昇用ワイヤ７および下降用ワイヤ８の張力を増加させた状態を保持しながら、図６に示すように、外部に露出している爪１８ａ、１８ｂをガイドレール３の表面から突出させて、互いにガイドレール３の長手方向に対する垂直方向に向かい合うように折り曲げる。これにより、ガイドレール３とハウジング４が近づく方向に移動して上昇用ワイヤ７および下降用ワイヤ８の張力が減少することを防ぐ規制部１８が形成され、ウインドレギュレータ１の製造が完了する。
【００３１】
以上説明したように、ウインドレギュレータ１は何れも容易な工程により製造することができる。また、規制部１８を構成する爪１８ａ、１８ｂはガイドレール３と一体に形成できるので、ウインドレギュレータ１では部品点数の増加も生じない。以上に基づき、ウインドレギュレータ１は容易に製造することができる。
【００３２】
さらに、規制部１８は、図５（ｃ）および図６に示すように、爪１８ａ、１８ｂの側面側でハウジング４の上方突出部４ｂと当接することになる。従って、爪１８ａ、１８ｂは、その正面または背面にてハウジング４の上方突出部４ｂと当接する場合と比べて、ガイドレール３およびハウジング４が上昇用ワイヤ７および下降用ワイヤ８の張力を減少する方向に移動しようとする力に抗する強度が強く、また長期に渡る耐久性も高い。従って、ウインドレギュレータ１では、使用途中に上昇用ワイヤ７および下降用ワイヤ８の張力が減少することを防止することができる。
【００３３】
なお、本実施の形態で示したウインドレギュレータ１は、本発明に係るウインドレギュレータの一態様にすぎず、本発明の要旨を逸脱しない範囲内で種々の変形実施が可能である。
【産業上の利用可能性】
【００３４】
本発明に係るウインドレギュレータは、車両用ドアに適用することができる。
【符号の説明】
【００３５】
１  ウインドレギュレータ
２  キャリアプレート
３  ガイドレール
４  ハウジング
５  ワイヤガイド
６  ドラム
７  上昇用ワイヤ
８  下降用ワイヤ
９  駆動部
１６  ガイドレール収容部
１８  規制部
１８ａ、１８ｂ  爪
【図１】
2011231551.tif 000003
【図２】
2011231551.tif 000004
【図３】
2011231551.tif 000005
【図４】
2011231551.tif 000006
【図５】
2011231551.tif 000007
【図６】
2011231551.tif 000008